(57)【要約】【課題】本発明は、ガイド手段をスムーズにスライドさせることができると共に、ガイド手段を所望の位置に簡単に固定することができるロール紙支持装置を提供することを課題とする。【解決手段】ガイドボス部７１の貫通孔７３の内周に強磁性体で構成された金属プレート７４を取り付けると共に、ロール紙支持軸６の内部に電磁石６３を設け、タッチセンサ９によって、ガイド部７への人体の接触を検出し、ガイド部７に人体が接触しない状態では、出力トランジスタ９５をオンさせて電磁石６３に通電して磁化させ、電磁石６３の磁力によってガイド部７をロール紙支持軸６に固定させ、ガイド部７に人体が接触したことが検出されると、出力トランジスタ９５をオフさせて電磁石６３への通電を停止させ、ロール紙支持軸６に固定されたガイド部７を解放する。【選択図】        図２
2008247493.tif 000002
【特許請求の範囲】
【請求項１】
ロール紙を支持するロール紙支持軸と、前記ロール紙支持軸に支持された前記ロール紙をガイドするために、前記ロール紙支持軸に環装されるガイド手段とを備えたロール紙支持装置であって、
前記ガイド手段の少なくとも一部には、強磁性体が用いられており、
前記ロール紙支持軸の内部に設けられた電磁石と、
前記ガイド手段への人体の接触を検出する接触検出手段と、
前記ガイド手段に人体が接触しない状態では、前記電磁石に通電して磁化させ、前記電磁石の磁力によって前記ガイド手段を前記ロール紙支持軸に固定させ、前記接触検出手段によって前記ガイド手段に人体が接触したことが検出されると、前記電磁石への通電を停止させ、前記ロール紙支持軸に固定された前記ガイド手段を解放させる通電制御手段とを具備することを特徴とするロール紙支持装置。
【請求項２】
前記ロール紙支持軸の周面は、導電材料で構成されていると共に、前記ガイド手段における前記ロール紙支持軸の周面と接触する箇所には導電材料が用いられており、
前記接触検出手段は、前記ロール紙支持軸の周面を介して、前記ガイド手段への人体の接触を検出することを特徴とする請求項１記載のロール紙支持装置。
【請求項３】
前記ガイド手段は、前記ロール紙支持軸が貫通される貫通孔によって前記ロール紙支持軸にスライド可能に環装されていると共に、
前記貫通孔の内周に設けられた導電材料の接触部材と、
該接触部材と接続されたタッチ電極とを具備し、
前記接触検出手段は、前記ロール紙支持軸の周面および前記接触部材を介して、前記タッチ電極への人体の接触を検出することを特徴とする請求項１又は２記載のロール紙支持装置。
【発明の詳細な説明】
【技術分野】
【０００１】
本発明は、プリンタやファクシミリ等に用いられる記録紙やラベルやシールが仮着されている帯状台紙がロール状に巻回されたロール紙を、ロール紙支持軸を用いて支持するロール紙支持装置に関し、特にロール紙支持軸にスライド可能に環装されたガイド手段を用いて支持したロール紙の軸方向の位置決めを行うロール紙支持装置に関する。
【背景技術】
【０００２】
記録紙やラベルやシールが仮着されている帯状台紙がロール状に巻回されたロール紙に印字を行うプリンタやファクシミリにおいては、ロール紙支持軸に支持したロール紙の軸方向の位置決めを行う必要がある。ロール紙の軸方向の位置決めは、一般的に、ロール紙支持軸にスライド可能に環装されたガイド手段によって行われ、ガイド手段は、ロール紙支持軸の周面とガイド手段との摩擦力や、ロール紙支持軸の周面に係合する弾性部材によって固定されるようになっている（例えば、特許文献１参照）。
【０００３】
しかしながら、従来技術では、使い始めは、ロール紙支持軸の周面とガイド手段との摩擦力や弾性部材の弾性力が強いため、ガイド手段に強い力を加えないとスライドさせることができないと共に、経時変化でロール紙支持軸の周面とガイド手段との摩擦力や弾性部材の弾性力が弱くなってくると、ガイド手段が固定されなくなり、ロール紙の動きでガイド手段がずれてしまうという問題点があった。
【０００４】
【特許文献１】特開２００１−３３５１９９号公報
【発明の開示】
【発明が解決しようとする課題】
【０００５】
本発明は斯かる問題点に鑑みてなされたものであり、その目的とするところは、ガイド手段をスムーズにスライドさせることができると共に、ガイド手段を所望の位置に簡単に固定することができるロール紙支持装置を提供する点にある。
【課題を解決するための手段】
【０００６】
本発明は上記課題を解決すべく、以下に掲げる構成とした。
請求項１記載の発明の要旨は、ロール紙を支持するロール紙支持軸と、前記ロール紙支持軸に支持された前記ロール紙をガイドするために、前記ロール紙支持軸に環装されるガイド手段とを備えたロール紙支持装置であって、前記ガイド手段の少なくとも一部には、強磁性体が用いられており、前記ロール紙支持軸の内部に設けられた電磁石と、前記ガイド手段への人体の接触を検出する接触検出手段と、前記ガイド手段に人体が接触しない状態では、前記電磁石に通電して磁化させ、前記電磁石の磁力によって前記ガイド手段を前記ロール紙支持軸に固定させ、前記接触検出手段によって前記ガイド手段に人体が接触したことが検出されると、前記電磁石への通電を停止させ、前記ロール紙支持軸に固定された前記ガイド手段を解放させる通電制御手段とを具備することを特徴とするロール紙支持装置に存する。
また請求項２記載の発明の要旨は、前記ロール紙支持軸の周面は、導電材料で構成されていると共に、前記ガイド手段における前記ロール紙支持軸の周面と接触する箇所には導電材料が用いられており、前記接触検出手段は、前記ロール紙支持軸の周面を介して、前記ガイド手段への人体の接触を検出することを特徴とする請求項１記載のロール紙支持装置に存する。
また請求項３記載の発明の要旨は、前記ガイド手段は、前記ロール紙支持軸が貫通される貫通孔によって前記ロール紙支持軸にスライド可能に環装されていると共に、前記貫通孔の内周に設けられた導電材料の接触部材と、該接触部材と接続されたタッチ電極とを具備し、前記接触検出手段は、前記ロール紙支持軸の周面および前記接触部材を介して、前記タッチ電極への人体の接触を検出することを特徴とする請求項１又は２記載のロール紙支持装置に存する。
【発明の効果】
【０００７】
本発明のロール紙支持装置は、ガイド手段の少なくとも一部に強磁性体を用いると共に、ロール紙支持軸の内部に電磁石を設け、ガイド手段への人体の接触を検出し、ガイド手段に人体が接触しない状態では、電磁石に通電して磁化させ、電磁石の磁力によってガイド手段をロール紙支持軸に固定させ、ガイド手段に人体が接触したことが検出されると、電磁石への通電を停止させ、ロール紙支持軸に固定されたガイド手段を解放するように構成することにより、ガイド手段を手で動かす際には、電磁石が磁化されていないため、ガイド手段をスムーズにスライドさせることができると共に、ガイド手段から手を離すだけで、電磁石が磁化されて、ガイド手段が固定されるため、ガイド手段を所望の位置に簡単に固定することができるという効果を奏する。
【０００８】
さらに、本発明のロール紙支持装置は、ロール紙支持軸の周面を導電材料で構成すると共に、ガイド手段におけるロール紙支持軸の周面と接触する箇所に導電材料を用い、ロール紙支持軸の周面を介して、ガイド手段への人体の接触を検出するように構成することにより、ガイド手段への人体の接触を検出するために、ガイド手段に余分な配線を行う必要がなく、ガイド手段を容易に取り扱うことができるという効果を奏する。
【発明を実施するための最良の形態】
【０００９】
以下、本発明の実施の形態を図面に基づいて詳細に説明する。
【００１０】
図１は、本発明に係るロール紙支持装置の実施の形態の構成を示す斜視図であり、図２は、図１に示すロール紙支持軸およびガイド部の構成を示す斜視図であり、図３は、図２に示す電磁石のオンオフ制御を行うタッチセンサの構成を示すブロック図である。
【００１１】
本実施の形態のロール紙支持装置は、図１を参照すると、記録紙やラベルやシールが仮着されている帯状台紙がロール状に巻回されたロール紙１に印字を行うプリンタ２において、印字部であるサーマルヘッド３とプラテンローラ４との間に供給されるロール紙１を支持する装置であり、プリンタ２の本体ケース５の側面に片持ち状態で植設され、ロール紙１を支持するロール紙支持軸６と、ロール紙支持軸６に環装され、ロール紙支持軸６に支持されたロール紙１をガイドするガイド部７とを備えている。
【００１２】
ロール紙１は、例えば、紙管等の筒状体の巻芯に記録紙や帯状台紙が巻き回されたものであり、巻芯にロール紙支持軸６が貫通される貫通孔が形成されている。
【００１３】
ロール紙支持軸６の内部には、図２を参照すると、コア６１にコイル６２が巻き回された電磁石６３が設けられている。電磁石６３は、コア６１の軸がロール紙支持軸６と直交するように配置され、定電圧電源８から通電されて磁化すると、周面６４に磁力を及ぼすようになっている。また、ロール紙支持軸６の少なくとも周面６４は、電気伝導率の高い導電材料で構成されており、電磁石６３への通電をオンオフするタッチセンサ９に接続されている。なお、電磁石６３が及ぼす磁力は、ロール紙支持軸６の軸方向に均一であることが望ましく、本実施の形態では、図２に示すように、ロール紙支持軸６の軸方向に長細い断面を有するコア６１を用いたが、複数の電磁石を軸方向に並べて設けるようにしても良い。
【００１４】
ガイド部７は、図２を参照すると、ロール紙支持軸６に環装される筒状のガイドボス部７１と、ロール紙１をガイドするガイドプレート７２とからなり、ガイドボス部７１の貫通孔７３の内周には、電気伝導率の高い導電材料で、且つ強磁性体で構成され、ロール紙支持軸６が貫通孔７３に貫通した状態でロール紙支持軸６の周面６４と導通する金属プレート７４（例えば鉄やニッケル）が取り付けられている。また、ガイドボス部７１の外周には、金属プレート７４に導通したタッチ電極７５が設けられており、金属プレート７４とロール紙支持軸６の周面６４とを介してタッチセンサ９に接続されている。なお、本実施の形態では、ガイドボス部７１の外周の一部にタッチ電極７５を設けるように構成したが、ガイドボス部７１やガイドプレート７２の表面を金属コーティングしてガイドボス部７１やガイドプレート７２の表面の全体をタッチ電極７５としても良く、ガイドボス部７１やガイドプレート７２を導電性の材料で構成することによって、ガイドボス部７１やガイドプレート７２自体をタッチ電極７５としても良い。
【００１５】
タッチセンサ９は、図３を参照すると、サージ保護回路９１と、発振回路９２と、検波平滑回路９３と、比較回路９４、スイッチ手段である出力トランジスタ９５とを備えている。
【００１６】
ガイド部７に設けられたタッチ電極７５に、人体が接触しない状態では、発振回路９２が自励発振しており、発振出力が検波平滑回路９３で平滑され、比較電圧より大なる電圧が比較回路９４に入力される。一方、ガイド部７に設けられたタッチ電極７５に、人体が接触すると、サージ保護回路９１を介して静電容量値変化を発振回路９２に伝達し、静電容量が増加してインピーダンスが小となるので、発振出力が減衰し、減衰した発振出力が検波平滑回路９３で平滑され、比較電圧より小なる電圧が比較回路９４に入力される。
【００１７】
比較回路９４は、比較電位と入力電位との大小関係で出力トランジスタ９５の出力状態を変化させる機能を備えており、タッチ電極７５に人体が接触せず、比較電圧より大なる電圧で入力されると、出力トランジスタ９５をオンに、タッチ電極７５に人体が接触し、比較電圧より小なる電圧で入力されると、出力トランジスタ９５をオフに制御する。
【００１８】
これにより、ガイド部７に設けられたタッチ電極７５に人体が接触した状態、すなわちロール紙１の交換やガイド部７の位置合わせのために、ガイド部７を手で持った状態では、出力トランジスタ９５がオフされ、通電が停止されて電磁石６３の磁力がなくなるため、ロール紙支持軸６に環装されたガイド部７を軸方向に簡単にスライドさせることができる。
【００１９】
ロール紙１の交換やガイド部７の位置合わせが終わり、ガイド部７から手を離した状態、すなわちガイド部７に設けられたタッチ電極７５に人体が接触しない状態では、出力トランジスタ９５がオンされ、電磁石６３が通電されて磁化し、ロール紙支持軸６に環装されたガイド部７の金属プレート７４が電磁石６３の磁力に吸引されることで、ガイド部７がロール紙支持軸６に固定される。
【００２０】
以上説明したように、本実施の形態によれば、ガイドボス部７１の貫通孔７３の内周に強磁性体で構成された金属プレート７４を取り付けると共に、ロール紙支持軸６の内部に電磁石６３を設け、タッチセンサ９によって、ガイド部７への人体の接触を検出し、ガイド部７に人体が接触しない状態では、出力トランジスタ９５をオンさせて電磁石６３に通電して磁化させ、電磁石６３の磁力によってガイド部７をロール紙支持軸６に固定させ、ガイド部７に人体が接触したことが検出されると、出力トランジスタ９５をオフさせて電磁石６３への通電を停止させ、ロール紙支持軸６に固定されたガイド部７を解放するように構成することにより、ガイド部７を手で動かす際には、電磁石６３が磁化されていないため、ガイド部７をスムーズにスライドさせることができると共に、ガイド部７から手を離すだけで、電磁石６３が磁化されて、ガイド部７が固定されるため、ガイド部７を所望の位置に簡単に固定することができるという効果を奏する。
【００２１】
さらに、本実施の形態によれば、ロール紙支持軸６の周面６４を導電材料で構成すると共に、ガイド部７におけるロール紙支持軸６の周面６４と接触する箇所には導電材料である金属プレート７４を設け、ロール紙支持軸６の周面６４を介して、ガイド部７への人体の接触を検出するように構成することにより、ガイド部７への人体の接触を検出するために、ガイド部７に余分な配線を行う必要がなく、ガイド部７を容易に取り扱うことができるという効果を奏する。
【００２２】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【図面の簡単な説明】
【００２３】
【図１】本発明に係るロール紙支持装置の実施の形態の構成を示す斜視図である。
【図２】図１に示すロール紙支持軸およびガイド部の構成を示す斜視図である。
【図３】図２に示す電磁石のオンオフ制御を行うタッチセンサの構成を示すブロック図である。
【符号の説明】
【００２４】
１  ロール紙
２  プリンタ
３  サーマルヘッド
４  プラテンローラ
５  本体ケース
６  ロール紙支持軸
７  ガイド部
８  定電圧電源
９  タッチセンサ（接触検出手段、通電制御手段）
６１  コア
６２  コイル
６３  電磁石
６４  周面
７１  ガイドボス部
７２  ガイドプレート
７３  貫通孔
７４  金属プレート
７５  タッチ電極
９１  サージ保護回路
９２  発振回路
９３  検波平滑回路
９４  比較回路
９５  出力トランジスタ
【図１】
2008247493.tif 000003
【図２】
2008247493.tif 000004
【図３】
2008247493.tif 000005